(57)【要約】【課題】ラベルとラベルが仮着される剥離紙とを有するラベル用紙の剥離紙またはラベルのみを切断するための手動式のカッターにおいて、剥離紙の幅が広くても剥離紙のみを切断することが可能であるとともにラベルの幅が広くてもラベルのみを切断することが可能なカッターを提供する。【解決手段】ラベルとラベルが仮着される剥離紙とを有するラベル用紙の剥離紙またはラベルのみを切断するための手動式のカッター１は、剥離紙またはラベルを切断するカッター刃５と、カッター刃５を保持する本体部６とを備えている。本体部６には、剥離紙またはラベルの表面に当接する平面状の当接面６ａが形成され、カッター刃５は、当接面６ａからのカッター刃５の刃先の突出量が調整可能となるように本体部６に取り付けられている。【選択図】図１
0003213353.tif 000002
【実用新案登録請求の範囲】
【請求項１】
ラベルと前記ラベルが仮着される剥離紙とを有するラベル用紙の前記剥離紙または前記ラベルのみを切断するための手動式のカッターであって、
前記剥離紙または前記ラベルを切断するカッター刃と、前記カッター刃を保持する本体部とを備え、
前記本体部には、前記剥離紙または前記ラベルの表面に当接する平面状の当接面が形成され、
前記カッター刃は、前記当接面からの前記カッター刃の刃先の突出量が調整可能となるように前記本体部に取り付けられていることを特徴とするカッター。
【請求項２】
前記カッター刃は、平行四辺形の平板状に形成されるとともに、前記本体部に回動可能に取り付けられ、
前記本体部に対して前記カッター刃を回動させることで、前記当接面からの前記カッター刃の刃先の突出量が調整されることを特徴とする請求項１記載のカッター。
【請求項３】
前記本体部には、前記当接面と直交するように前記当接面に繋がる平面状の直交面が形成されていることを特徴とする請求項１または２記載のカッター。
【請求項４】
前記本体部は、前記カッター刃が固定されるカッター固定部材と、前記カッター刃を覆うとともに前記直交面が形成されるカバー部材とを備えることを特徴とする請求項３記載のカッター。
【請求項５】
前記カッター刃は、ネジによって前記カッター固定部材に固定され、
前記カバー部材には、前記ネジの締緩を行うための貫通穴が形成されていることを特徴とする請求項４記載のカッター。
【請求項６】
前記本体部の少なくとも一部は、鋼鉄で形成されていることを特徴とする請求項１から５のいずれかに記載のカッター。
【請求項７】
前記本体部の全体が鋼鉄で形成されていることを特徴とする請求項６記載のカッター。
【請求項８】
前記本体部は、前記カッター刃が固定されるカッター固定部材と、前記カッター刃を覆うカバー部材とを備え、
前記カッター固定部材および前記カバー部材のいずれか一方が鋼鉄で形成され、前記カッター固定部材および前記カバー部材のいずれか他方が樹脂で形成されていることを特徴とする請求項６記載のカッター。
【考案の詳細な説明】
【技術分野】
【０００１】
本考案は、手動式のカッターに関する。
【背景技術】
【０００２】
従来、ラベルとラベルが仮着される剥離紙とを有するラベル用紙の、ラベルまたは剥離紙のみを切断するためのはさみが知られている（たとえば、特許文献１参照）。特許文献１に記載のはさみは、一対のはさみ体と、一対のはさみ体のうちの一方のはさみ体に固定される載置台と、他方のはさみ体に固定される刃体とを備えている。このはさみでは、一対のはさみ体が閉じた状態において、刃体の刃先と載置台との間に所定の隙間が形成されている。そのため、このはさみでは、ラベル用紙のラベルまたは剥離紙のみを切断することが可能になっている。
【先行技術文献】
【特許文献】
【０００３】
【特許文献１】特開２００５−２４３号公報
【考案の概要】
【考案が解決しようとする課題】
【０００４】
特許文献１に記載のはさみでは、ラベル用紙のラベルまたは剥離紙のみを手動で簡単に切断することが可能である。しかしながら、このはさみでは、刃体の幅よりも幅の広いラベルまたは剥離紙のみを切断することができない。
【０００５】
そこで、本考案の課題は、ラベルとラベルが仮着される剥離紙とを有するラベル用紙の剥離紙またはラベルのみを切断するための手動式のカッターにおいて、剥離紙の幅が広くても剥離紙のみを切断することが可能であるとともにラベルの幅が広くてもラベルのみを切断することが可能なカッターを提供することにある。
【課題を解決するための手段】
【０００６】
上記の課題を解決するため、本考案のカッターは、ラベルとラベルが仮着される剥離紙とを有するラベル用紙の剥離紙またはラベルのみを切断するための手動式のカッターであって、剥離紙またはラベルを切断するカッター刃と、カッター刃を保持する本体部とを備え、本体部には、剥離紙またはラベルの表面に当接する平面状の当接面が形成され、カッター刃は、当接面からのカッター刃の刃先の突出量が調整可能となるように本体部に取り付けられていることを特徴とする。
【０００７】
本考案のカッターでは、カッター刃を保持する本体部に剥離紙またはラベルの表面に当接する平面状の当接面が形成されている。また、本考案では、カッター刃は、当接面からのカッター刃の刃先の突出量が調整可能となるように本体部に取り付けられている。そのため、本考案では、当接面からのカッター刃の刃先の突出量を剥離紙の厚さに応じて調整した後、剥離紙の表面に当接面を当接させた状態で剥離紙の表面に沿ってカッターを移動させることで、剥離紙の幅が広くても剥離紙のみを切断することが可能になる。また、当接面からのカッター刃の刃先の突出量をラベルの厚さに応じて調整した後、ラベルの表面に当接面を当接させた状態でラベルの表面に沿ってカッターを移動させることで、ラベルの幅が広くてもラベルのみを切断することが可能になる。
【０００８】
本考案において、カッター刃は、平行四辺形の平板状に形成されるとともに、本体部に回動可能に取り付けられ、本体部に対してカッター刃を回動させることで、当接面からのカッター刃の刃先の突出量が調整されることが好ましい。このように構成すると、カッター刃が平行四辺形の平板状に形成されているため、カッター刃として、価格の安い市販のカッター刃を使用することが可能になる。したがって、たとえば、カッター刃として円板状のカッター刃が使用される場合と比較して、カッターのコストを低減することが可能になる。また、このように構成すると、たとえば、本体部に対してカッター刃をスライドさせることで、当接面からのカッター刃の刃先の突出量が調整される場合と比較して、カッター刃の刃先の突出量の調整が容易になる。
【０００９】
本考案において、本体部には、当接面と直交するように当接面に繋がる平面状の直交面が形成されていることが好ましい。このように構成すると、たとえば、直定規等の直線ガイドに直交面を当接させながらカッターを移動させることで、剥離紙またはラベルを直線状に切断することが可能になる。
【００１０】
本考案において、本体部は、カッター刃が固定されるカッター固定部材と、カッター刃を覆うとともに直交面が形成されるカバー部材とを備えることが好ましい。このように構成すると、カッター刃の、当接面から突出する部分以外の部分が本体部の外部から見えなくなる。したがって、カッターの見映えを良くすることが可能になる。
【００１１】
本考案において、カッター刃は、ネジによってカッター固定部材に固定され、カバー部材には、ネジの締緩を行うための貫通穴が形成されていることが好ましい。このように構成すると、カッター刃がカバー部材に覆われていても、カッター固定部材にカバー部材が固定されている状態でネジの締緩を行って、当接面からのカッター刃の刃先の突出量を調整することが可能になる。したがって、カッター刃がカバー部材に覆われていても、当接面からのカッター刃の刃先の突出量の調整が容易になる。
【００１２】
本考案において、本体部の少なくとも一部は、鋼鉄で形成されていることが好ましい。このように構成すると、本体部の重さを重くすることが可能になる。したがって、剥離紙またはラベルを切断する際に剥離紙またはラベルの表面に向かって本体部を押し付ける力が弱くても、剥離紙またはラベルの表面に沿ってカッターを移動させることで、剥離紙またはラベルのみを切断することが可能になる。そのため、手動で行われる剥離紙またはラベルの切断作業が容易になる。
【００１３】
本考案において、本体部の全体が鋼鉄で形成されていることが好ましい。このように構成すると、本体部の重さをより重くすることが可能になる。したがって、剥離紙またはラベルを切断する際に剥離紙またはラベルの表面に向かってカッターを押し付けなくても、剥離紙またはラベルの表面に沿ってカッターを移動させることで、剥離紙またはラベルのみを切断することが可能になる。そのため、手動で行われる剥離紙またはラベルの切断作業がより容易になる。また、剥離紙またはラベルを切断する際に剥離紙またはラベルの表面に向かってカッターを押し付けなくても、剥離紙またはラベルの表面に沿ってカッターを移動させることで、剥離紙またはラベルのみを切断することが可能になるため、作業者による切断作業のばらつきを抑制することが可能になる。
【００１４】
本考案において、本体部は、カッター刃が固定されるカッター固定部材と、カッター刃を覆うカバー部材とを備え、カッター固定部材およびカバー部材のいずれか一方が鋼鉄で形成され、カッター固定部材およびカバー部材のいずれか他方が樹脂で形成されていても良い。この場合には、カッター固定部材およびカバー部材のいずれか他方が樹脂で形成されているため、カッターのコストを低減することが可能になる。
【考案の効果】
【００１５】
以上のように、本考案では、ラベルとラベルが仮着される剥離紙とを有するラベル用紙の剥離紙またはラベルのみを切断するための手動式のカッターにおいて、剥離紙の幅が広くても剥離紙のみを切断することが可能になるとともに、ラベルの幅が広くてもラベルのみを切断することが可能になる。
【図面の簡単な説明】
【００１６】
【図１】本考案の実施の形態にかかるカッターの図であり、（Ａ）は斜視図、（Ｂ）は側面図である。
【図２】（Ａ）は、図１（Ｂ）に示すカッター刃およびカッター固定部材の側面図であり、（Ｂ）は、図１に示すカバー部材を反対方向から示す斜視図である。
【図３】図１に示すカッターの使用方法を説明するための図である。
【図４】本考案の他の実施の形態にかかるカッター刃およびカッター固定部材を説明するための側面図である。
【図５】本考案の他の実施に形態にかかるカッター固定部材を説明するための図である。
【考案を実施するための形態】
【００１７】
以下、図面を参照しながら、本考案の実施の形態を説明する。
【００１８】
（カッターの構成）
図１は、本考案の実施の形態にかかるカッター１の図であり、（Ａ）は斜視図、（Ｂ）は側面図である。図２（Ａ）は、図１（Ｂ）に示すカッター刃５およびカッター固定部材７の側面図であり、図２（Ｂ）は、図１に示すカバー部材８を反対方向から示す斜視図である。図３は、図１に示すカッター１の使用方法を説明するための図である。
【００１９】
本形態のカッター１は、ラベル２とラベル２が仮着される剥離紙３とを有するラベル用紙４の剥離紙３のみを切断するための手動式のカッターである。このカッター１は、剥離紙３を切断するカッター刃５と、カッター刃５を保持する本体部６とを備えている。ラベル用紙４は、たとえば、長方形状に形成されている。本形態では、ラベル２と剥離紙３との大きさが等しくなっている。そのため、剥離紙３に切れ目３ａ（図３（Ａ）参照）が入っていないと、ラベル２から剥離紙３を剥がしにくい。なお、図２（Ａ）では、説明の便宜上、実際のラベル用紙４の厚さよりも厚くなっているラベル用紙４が図示されている。
【００２０】
カッター刃５は、平行四辺形の平板状に形成されている。本体部６は、直方体状に形成されている。また、本体部６は、カッター刃５が固定されるカッター固定部材７と、カッター刃５を覆うカバー部材８とを備えている。本形態では、直方体状のカッター固定部材７の右側面と直方体状のカバー部材８の左側面とが当接した状態でカッター固定部材７とカバー部材８とがネジ９によって互いに固定されることで、直方体状の本体部６が形成されている。カッター固定部材７およびカバー部材８は、鋼鉄で形成されている。すなわち、本形態では、本体部６の全体が鋼鉄で形成されている。
【００２１】
平面状に形成される本体部６の下面は、カッター固定部材７の下面とカバー部材８の下面とから構成され、平面状に形成される本体部６の上面は、カッター固定部材７の上面とカバー部材８の上面とから構成されている。平面状に形成される本体部６の前側面は、カッター固定部材７の前側面とカバー部材８の前側面とから構成され、平面状に形成される本体部６の後側面は、カッター固定部材７の後側面とカバー部材８の後側面とから構成されている。平面状に形成される本体部６の右側面は、カバー部材８の右側面によって構成され、平面状に形成される本体部６の左側面は、カッター固定部材７の左側面によって構成されている。
【００２２】
本形態では、本体部６の下面は、剥離紙３の表面に当接する平面状の当接面６ａとなっている。また、本体部６の右側面（カバー部材８の右側面）は、当接面６ａと直交するように当接面６ａに繋がる平面状の直交面６ｂとなっている。すなわち、本体部６には、当接面６ａと直交面６ｂとが形成されている。また、直交面６ｂは、カバー部材８に形成されている。
【００２３】
カッター刃５は、ネジ１０によってカッター固定部材７の右側面に固定されている。カッター刃５は、カッター刃５の厚さ方向と左右方向とが一致するように配置されている。カッター刃５の刃先は、当接面６ａから下側へ突出している。カッター刃５には、ネジ１０の軸部が挿通される貫通穴が形成されており、ネジ１０を緩めると、左右方向を回動の軸方向として、かつ、ネジ１０を中心にして、カッター固定部材７に対してカッター刃５を回動させることが可能となっている。すなわち、カッター刃５は、本体部６に回動可能に取り付けられている。本形態では、本体部６に対してカッター刃５を回動させることで、当接面６ａからのカッター刃５の刃先の突出量が調整される。すなわち、カッター刃５は、当接面６ａからのカッター刃５の刃先の突出量が調整可能となるように本体部６に取り付けられている。
【００２４】
カッター固定部材７には、ネジ９がねじ込まれるネジ穴７ａが形成されている。カバー部材８には、ネジ９が挿通される貫通穴８ａが形成されている。貫通穴８ａは、ネジ９の軸部の一部が配置される軸配置部と、ネジ９の頭部が配置される頭部配置部とから構成されている。ネジ９の頭部は、直交面６ｂから突出しないように頭部配置部の中に収容されている。図２（Ｂ）に示すように、カバー部材８の左側面には、カッター刃５およびネジ１０と、カバー部材８との干渉を防止するための凹部８ｂが形成されている。また、カバー部材８には、ネジ１０の締緩を行うための貫通穴８ｃが形成されている。貫通穴８ｃには、カバー部材８の右側からドライバーの先端部が挿入される。
【００２５】
剥離紙３の切断時には、載置台１３にラベル用紙４が載置される（図３参照）。載置台１３の上面は、平面となっている。載置台１３の上面には、ラベル用紙４を位置決めするための位置決め部材（図示省略）が取り付けられている。また、載置台１３の上面には、直定規等の直線ガイド１４が取り付けられている。
【００２６】
カッター１で剥離紙３を切断するときには、作業者は、剥離紙３が上側を向くように載置台１３の上面にラベル用紙４を載置する。また、剥離紙３の厚さに応じて、当接面６ａからのカッター刃５の刃先の突出量を調整する。その後、剥離紙３の表面（上面）に当接面６ａの端部を当接させるとともに直線ガイド１４に直交面６ｂを当接させた状態で、本体部６を握って図３（Ａ）の矢印Ｖの方向へカッター１を直線的に移動させる。カッター１を移動させると、直線状の切れ目３ａが剥離紙３に形成される。上述のように、本形態では、本体部６の全体が鋼鉄で形成されており、本体部６の重量は重くなっている。そのため、作業者は、剥離紙３の表面に向かってカッター１を押し付けずに、剥離紙３の表面にカッター１を載せた状態で剥離紙３の表面に沿ってカッター１を移動させる。
【００２７】
（本形態の主な効果）
以上説明したように、本形態では、カッター刃５を保持する本体部６に剥離紙３の表面に当接する当接面６ａが形成されている。また、本形態では、カッター刃５は、当接面６ａからのカッター刃５の刃先の突出量が調整可能となるように本体部６に取り付けられている。そのため、本形態では、上述のように、当接面６ａからのカッター刃５の刃先の突出量を剥離紙３の厚さに応じて調整した後、剥離紙３の表面に当接面６ａを当接させた状態で剥離紙３の表面に沿ってカッター１を移動させることで、剥離紙３の幅が広くても剥離紙３のみを切断することが可能になる。また、本形態では、本体部６に、当接面６ａと直交するように当接面６ａに繋がる直交面６ｂが形成されているため、上述のように、直線ガイド１４に直交面６ｂを当接させながらカッター１を移動させることで、剥離紙３を直線状に切断することが可能になる。
【００２８】
本形態では、カッター刃５は、カバー部材８に覆われている。そのため、本形態では、カッター刃５の、当接面６ａから突出する部分以外の部分が本体部６の外部から見えなくなる。したがって、本形態では、カッター１の見映えを良くすることが可能になる。また、本形態では、カバー部材８に、ネジ１０の締緩を行うための貫通穴８ｃが形成されているため、カッター刃５がカバー部材８に覆われていても、カッター固定部材７にカバー部材８が固定されている状態でネジ１０の締緩を行って、当接面６ａからのカッター刃５の刃先の突出量を調整することが可能になる。したがって、本形態では、カッター刃５がカバー部材８に覆われていても、当接面６ａからのカッター刃５の刃先の突出量の調整が容易になる。
【００２９】
本形態では、本体部６の全体が鋼鉄で形成されており、本体部６の重量は重くなっている。そのため、本形態では、上述のように、作業者は、剥離紙３の表面に向かってカッター１を押し付けなくても、剥離紙３の表面に沿ってカッター１を移動させることで、剥離紙３のみを切断することが可能になる。そのため、手動で行われる剥離紙３の切断作業が容易になる。また、本形態では、剥離紙３の表面に向かってカッター１を押し付けなくても、剥離紙３の表面に沿ってカッター１を移動させることで、剥離紙３のみを切断することが可能になるため、作業者による切断作業のばらつきを抑制することが可能になる。
【００３０】
（他の実施の形態）
上述した形態において、本体部６の一部が鋼鉄以外の材料で形成されていても良い。すなわち、本体部６の一部が、アルミニウム合金等の鋼鉄以外の金属や樹脂等で形成されていても良い。たとえば、カッター固定部材７およびカバー部材８のいずれか一方が鋼鉄で形成され、カッター固定部材７およびカバー部材８のいずれか他方が樹脂で形成されていても良い。この場合であっても、本体部６の重さを重くすることが可能になるため、剥離紙３の表面に向かってカッター１を押し付ける力が弱くても、剥離紙３の表面に沿ってカッター１を移動させることで、剥離紙３のみを切断することが可能になる。したがって、手動で行われる剥離紙３の切断作業が容易になる。また、この場合には、カッター固定部材７およびカバー部材８のいずれか他方が樹脂で形成されているため、カッター１のコストを低減することが可能になる。また、上述した形態において、本体部６の全体が鋼鉄以外の材料で形成されていても良い。たとえば、本体部６の全体が樹脂で形成されていても良い。
【００３１】
上述した形態において、図４（Ａ）に示すように、本体部６に対して（具体的には、カッター固定部材７に対して）カッター刃５を斜め方向へスライドさせることで、当接面６ａからのカッター刃５の刃先の突出量が調整されても良い。この場合には、たとえば、カッター固定部材７の右側面に、カッター刃５を案内するための凹部７ｂがわずかに窪むように形成されている。また、この場合には、カッター刃５にネジ１０の軸部が挿通される長穴５ａが形成されている。なお、上述した形態のように、本体部６に対してカッター刃５を回動させることで当接面６ａからのカッター刃５の刃先の突出量が調整される方がカッター刃５の刃先の突出量の調整は容易になる。
【００３２】
上述した形態において、カッター刃５は、図４（Ｂ）に示すように、円板状に形成されていても良い。この場合には、カッター刃５の中心に、ネジ１０の軸部が挿通される挿通穴５ｂが形成されている。挿通穴５ｂの内径は、当接面６ａからのカッター刃５の刃先の突出量が調整可能となるように、ネジ１０の軸部の外径よりも大きくなっている。すなわち、カッター刃５には、ネジ１０の軸部が挿通されるいわゆるバカ穴が形成されている。なお、上述した形態のように、カッター刃５が平行四辺形の平板状に形成される場合には、カッター刃５として、価格の安い市販のカッター刃を使用することが可能になるため、カッター１のコストを低減することが可能になる。
【００３３】
上述した形態において、本体部６は、カバー部材８を備えていなくても良い。この場合には、たとえば、図５に示すように、カッター固定部材７の右側面にカッター刃５およびネジ１０が配置される凹部７ｃが形成されている。凹部７ｃの窪み量は、カッター刃５およびネジ１０がカッター固定部材７の右側面から突出しないように設定されている。また、この場合には、カッター固定部材７の下面が当接面６ａとなり、カッター固定部材７の右側面が直交面６ｂとなる。また、上述した形態において、本体部６は、直方体状以外の立体形状に形成されていても良い。
【００３４】
上述した形態では、カッター１は、ラベル２とラベル２が仮着される剥離紙３とを有するラベル用紙４の剥離紙３のみを切断するためのカッターであるが、カッター１は、ラベル用紙４のラベル２のみを切断するためのカッターであっても良い。この場合には、ラベル２の厚さに応じて、当接面６ａからのカッター刃５の刃先の突出量を調整した後、ラベル２の表面に当接面６ａの端部を当接させるとともに直線ガイド１４に直交面６ｂを当接させた状態で、カッター１を直線的に移動させる。
【符号の説明】
【００３５】
１  カッター
２  ラベル
３  剥離紙
４  ラベル用紙
５  カッター刃
６  本体部
６ａ  当接面
６ｂ  直交面
７  カッター固定部材
８  カバー部材
８ｃ  貫通穴
１０  ネジ
【図１】
0003213353.tif 000003
【図２】
0003213353.tif 000004
【図３】
0003213353.tif 000005
【図４】
0003213353.tif 000006
【図５】
0003213353.tif 000007